(57)【特許請求の範囲】
【請求項１】
基材と、前記基材の一方の面に粘着材層を有する絆創膏であって、
前記絆創膏は、指先の腹側に粘着する第１の粘着部と、
前記腹側から折り返されて前記第１の粘着部と相対する状態で指先の背側に粘着する第２の粘着部とからなり、
前記第１の粘着部は、前記腹側から折り返されて指先の側部に粘着する第１の張出部を備え、
前記第２の粘着部は、前記背側から前記腹側に向けて折り返されて指先に捲回する第２の張出部及び第３の張出部を有し、
前記第１の粘着部及び前記第２の粘着部により指先を内包し、
前記第１の粘着部と前記第２の粘着部との境界部に折り曲げ部を有し、前記折り曲げ部と直交する方向の仮想中心線に対して対称な形状であり、
前記第１の張出部は、前記第２の張出部及び前記第３の張出部よりも前記折り曲げ部と平行な方向における長さが小であり、かつ、外周が曲線であり、
前記第３の張出部は、前記第２の張出部よりも前記折り曲げ部と平行な方向における長さが大であること
を特徴とする絆創膏。
【請求項２】
前記第２の張出部及び前記第３の張出部は、前記折り曲げ部と平行な方向に張り出して形成され、前記第２の張出部は、前記折り曲げ部を挟んで前記第１の粘着部と隣接していることを特徴とする請求項１記載の絆創膏。
【請求項３】
前記第２の張出部と前記第３の張出部は、前記折り曲げ部と直交する方向に離間配置され、前記第２の張出部は前記折り曲げ部と略平行な直線部を有し、前記第３の張出部は略矩形形状であることを特徴とする請求項１又は請求項２記載の絆創膏。
【請求項４】
前記絆創膏は、前記折り曲げ部に跨設されたパッドを有する救急絆創膏であることを特徴とする請求項１乃至請求項３のうちいずれか１記載の絆創膏。
【請求項５】
前記粘着材層側の面を覆う剥離紙を有すること
を特徴とする請求項１乃至請求項４のうちいずれか１記載の絆創膏。
【請求項６】
前記基材が熱可塑性繊維布と熱可塑性フィルムからなる請求項１乃至請求項５のうちいずれか１記載の絆創膏。
【請求項７】
前記熱可塑性繊維布がスチレン−イソプレン−スチレン型ブロック共重合体からなる請求項６に記載の絆創膏。
【請求項８】
前記熱可塑性フィルムがポリウレタンフィルムからなる請求項６又は請求項７に記載の絆創膏。
【請求項９】
前記粘着剤が多孔性である請求項１乃至請求項８のうちいずれか１記載の絆創膏。
【請求項１０】
前記基材の全周がシールされている請求項１乃至請求項９のうちいずれか１記載の絆創膏。
【発明の詳細な説明】
技術分野
本発明は、手や足の指先の患部を確実に内包して、水やバクテリア等の浸入を防止することができる絆創膏、さらに、前記絆創膏にパッドを配した救急絆創膏に関する。
背景技術
手や足の指先に使用する従来の救急絆創膏として、例えば、図７に示す形状のものがある。図７は、指先に使用する従来の救急絆創膏１２０を示す平面図である。また、図８（ａ）乃至（ｃ）及び図９（ａ）乃至（ｃ）は、従来の救急絆創膏１２０を手の指先に貼付する方法を示す図であり、図８は、指先の背側から見た平面図、図９は、指先の腹側から見た平面図である。以下、図７乃至図９を参照して、従来の救急絆創膏１２０について説明する。なお、図８及び図９において、説明の便宜上、繊維布１０３を点描で示している。
図７に示すように、指先に使用する従来の救急絆創膏１２０は、全体が略Ｔ字型に形成されており、繊維布１０３（図８及び図９参照）と前記繊維布１０３をラミネートするフィルム１０１とからなる基材と、前記基材の前記繊維布１０３側の表面に形成された粘着剤層（図示せず）と、前記粘着剤層（図示せず）上に設けられて、患部に着接するパッド１０２とからなる。また、前記救急絆創膏１２０は、前記粘着剤層（図示せず）側の面、すなわち、粘着面を覆う剥離紙を有している。なお、前記剥離紙については、後述する第２の粘着部１１７側を覆う
前記救急絆創膏１２０は、手や足の指先の背側、すなわち、爪側に粘着する第１の粘着部１１５と、前記背側から折り返されて前記第１の粘着部１１５と相対する状態で前記指先の腹側に粘着する第２の粘着部１１７とを有し、前記第１の粘着部１１５と前記第２の粘着部１１７との境界部である折り曲げ部１１６を中心に折り曲げることができる。また、前記パッド１０２は、前記折り曲げ部１１６に跨設されており、前記救急絆創膏１２０は、前記折り曲げ部１１６と直交する方向における仮想中心線Ｙ−Ｙに対して対称な形状に形成されている。
前記第１の粘着部１１５は、粘着する指先に沿う方向、すなわち、前記折り曲げ部１１６に垂直な方向に長辺を有する略矩形形状に形成されている。一方、前記第２の粘着部１１７は、前記折り曲げ部１１６と平行な方向に長辺を有する略矩形形状になっており、前記仮想中心線Ｙ−Ｙから前記折り曲げ部１１６と平行な両方向に向けて等しい長さずつ張り出して形成され、前記折り曲げ部１１６の幅より大きい部分が張出部１１７ａになっている。
また、前記第１の粘着部１１５と、前記第２の粘着部１１７とにより前記救急絆創膏１２０の外部に形成される角度Ｘは、鈍角になっている。
次に、従来の前記救急絆創膏１２０を手の指先に貼付する場合の貼付方法について説明する。
ａ．図８（ａ）及び図９（ａ）に示すように、まず、前記第１の粘着部１１５側を覆っている前記剥離紙（図示せず）を剥がし、前記第１の粘着部１１５を指先の背側に粘着する。
ｂ．図８（ｂ）及び図９（ｂ）に示すように、前記剥離紙１１９ｂを剥がし、前記第２の粘着部１１７を前記折り曲げ部１１６において前記背側から折り返して、前記第１の粘着部１１５と相対する状態で指先の腹側に粘着する。
ｃ．図８（ｃ）及び図９（ｃ）に示すように、指先の側方、すなわち、前記折り曲げ部１１６と平行な両方向に突出した状態の前記第２の張出部１１７ａを、それぞれ、前記腹側から前記背側に向けて折り返して指先に捲回する。
上記ａ．乃至ｃ．により、従来の前記救急絆創膏１２０は、前記パッド１０２が手や足の指先の患部に着接した状態で貼付される。
次に、手や足の指先に使用する他の従来の救急絆創膏１３０について、図１０及び図１１を参照して説明する。図１０は、従来の救急絆創膏１３０を示す平面図、図１１（ａ）乃至（ｃ）は、従来の救急絆創膏１３０を手の指先に貼付する方法を示す図であり、指先の背側から見た平面図である。
図１０に示すように、従来の救急絆創膏１３０は、全体が略８の字状に形成されており、基材としてのフィルム１２１と、前記基材の一方の表面に形成された粘着剤層（図示せず）と、前記粘着剤層（図示せず）上に設けられて、患部に着接するパッド１２２とからなる。また、前記救急絆創膏１３０は、前記粘着剤層（図示せず）側の面、すなわち、粘着面を覆う剥離紙を有し、前記フィルム１２１には、通気孔１２１ａを有している。なお、前記剥離紙については、後述する第２の粘着部１２７側を覆う剥離紙１２９ｂのみを図１１（ａ）に図示している。
前記救急絆創膏１３０は、例えば、手や足の指先の腹側に粘着する第１の粘着部１２５と、前記腹側から折り返されて前記第１の粘着部１２５と相対する状態で前記指先の背側に粘着する第２の粘着部１２７とを有し、前記第１の粘着部１２５と前記第２の粘着部１２７との境界部である折り曲げ部１２６を中心に折り曲げることができる。前記第１の粘着部１２５及び前記第２の粘着部１２７は、互いに同形状に形成されており、前記救急絆創膏１３０は、前記折り曲げ部１２６及び前記折り曲げ部１２６と直交する方向における仮想中心線Ｙ−Ｙに対して、それぞれ、対称な形状に形成されている。また、前記パッド１２２は、前記折り曲げ部１２６に跨設されている。
前記第１の粘着部１２５及び前記第２の粘着部１２７は、それぞれ、外周が曲線の略台形形状になっており、上底に相当する前記折り曲げ部１２６側が短辺になっている。すなわち、下底に相当する長辺側が前記仮想中心線Ｙ−Ｙから前記折り曲げ部１２６と平行な両方向に向けて等しい長さずつ張り出した状態になっており、前記折り曲げ部１２６の幅より大きい部分がそれぞれ、第１の張出部１２５ａ及び第２の張出部１２７ａになっている。
次に、従来の前記救急絆創膏１３０を手の指先に貼付する場合の貼付方法について説明する。
Ａ．図１１（ａ）に示すように、まず、前記第１の粘着部１２５側を覆っている前記剥離紙（図示せず）を剥がし、前記第１の粘着部１２５を指先の腹側に粘着するとともに、前記第１の張出部１２５ａを前記腹側から折り返して、指先の側部に粘着する。
Ｂ．図１１（ｂ）に示すように、前記剥離紙１２９ｂを剥がし、前記第２の粘着部１２７を前記折り曲げ部１２６において前記腹側から折り返して、前記第１の粘着部１２５と相対する状態で指先の背側に粘着する。
Ｃ．図１１（ｃ）に示すように、指先の側方、すなわち、前記折り曲げ部１２６と平行な両方向に突出した状態の前記第２の張出部１２７ａを、それぞれ、前記背側から前記腹側に向けて折り返して指先の側部に貼付する。
上記Ａ．乃至Ｃ．により、従来の前記救急絆創膏１３０は、前記パッド１２２が手や足の指先の患部に着接した状態で貼付される。このとき、前記第１の粘着部１２５及び前記第２の粘着部１２７は、外周が曲線を有する略台形形状であり、指先に対して大型に形成されていることから、前記救急絆創膏１３０は、指先の形状に適合しやすく、かつ、指先を内包しやすいものになっている。
しかしながら、従来の前記救急絆創膏１２０及び前記救急絆創膏１３０は、次の点で改善が求められている。
すなわち、従来の前記救急絆創膏１２０は、前記第１の粘着部１１５及び前記第２の粘着部１１７が、それぞれ、略矩形形状に形成されていることから、前記第１の粘着部１１５と、前記第２の粘着部１１７とにより前記救急絆創膏１２０の外部に形成される角度Ｘが大きく、指先に貼付した際に、前記折り曲げ部１１６の端部１１６ａ近傍に隙間が生じやすいという問題がある。すなわち、水仕事や入浴等の際に前記隙間から、水等が浸入して前記パッド１０２が湿ってしまうという問題がある。
また、従来の前記救急絆創膏１２０は、前記第１の粘着部１１５及び前記第２の粘着部１１７が、それぞれ、略矩形形状であることから、曲面である指先の形状に適合しにくく、前記パッド１０２と患部との着接状態の低下などが生じやすいという問題がある。
一方、従来の前記救急絆創膏１３０は、前記第１の粘着部１２５及び前記第２の粘着部１２７が、それぞれ、外周が曲線の略台形形状に形成されていることから、前記第１の粘着部１２５及び前記第２の粘着部１２７の外周部曲線同士によって前記救急絆創膏１３０の外部に形成される間隔Ｘが比較的大きいものになっている。したがって、指先に貼付した際に、前記折り曲げ部１２６の端部１２６ａ近傍に隙間が生じることがあり、前記隙間から水が浸入して前記パッド１２２が湿ってしまう場合がある。
本発明は、従来技術の上記した点に鑑みてなされたものであって、手や足の指先の患部を確実に内包して水やバクテリア等の浸入を防ぐことができる絆創膏、特に前記絆創膏にパッドを配した救急絆創膏を提供することを目的とする。
発明の開示
本発明の絆創膏は、基材と、前記基材の一方の面に粘着材層を有する絆創膏であって、前記絆創膏は、指先の腹側に粘着する第１の粘着部と、前記腹側から折り返されて前記第１の粘着部と相対する状態で指先の背側に粘着する第２の粘着部とからなり、前記第１の粘着部は、前記腹側から折り返されて指先の側部に粘着する第１の張出部を備え、前記第２の粘着部は、前記背側から前記腹側に向けて折り返されて指先に捲回する第２の張出部及び第３の張出部を有し、前記第１の粘着部及び前記第２の粘着部により指先を内包するものである。
また、本発明の絆創膏は、前記第１の粘着部と前記第２の粘着部との境界部に折り曲げ部を有し、前記折り曲げ部と直交する方向の仮想中心線に対して対称な形状である。
また、本発明による絆創膏の前記第２の張出部及び前記第３の張出部は、前記折り曲げ部と平行な方向に張り出して形成され、前記第２の張出部は、前記折り曲げ部を挟んで前記第１の粘着部と隣接しているものである。
また、本発明による絆創膏の前記第２の張出部と前記第３の張出部は、前記折り曲げ部と直交する方向に離間配置され、前記第２の張出部は前記折り曲げ部と略平行な直線部を有し、前記第３の張出部は略矩形形状である。
また、本発明による絆創膏の前記第１の張出部は、前記第２の張出部及び前記第３の張出部よりも前記折り曲げ部と平行な方向における長さが小であり、かつ、外周が曲線である。
また、本発明による絆創膏の前記第３の張出部は、前記第２の張出部よりも前記折り曲げ部と平行な方向における長さが大である。
また、本発明の前記絆創膏は、前記折り曲げ部に跨設されたパッドを有する救急絆創膏であってもよい。
また、本発明による絆創膏は、前記粘着材層側の面を覆う剥離紙を有するものであってもよい。
発明を実施するための最良の形態
以下、図面を参照して、本発明の実施例の一態様を説明する。
図１は、本発明の救急絆創膏１を示す平面図であり、図２（ａ）は、本発明の救急絆創膏１の粘着面側を示す平面図、図２（ｂ）は、図２（ａ）において、粘着面を剥離紙が覆った状態を示す平面図である。また、図３は、図１におけるＡ−Ａ断面を模式的に示す図である。以下、図１乃至図３を参照して本発明の救急絆創膏１について説明する。
図１乃至図３に示すように、救急絆創膏１は、熱可塑性繊維布１２（図２（ａ）に図示）と前記熱可塑性繊維布１２をラミネートするフィルム２とからなる基材と、前記基材の前記熱可塑性繊維布１２側の表面に形成された粘着剤層１４（図３に図示）と、前記粘着剤層１４上に設けられて、患部に着接するパッド３とからなり、前記粘着剤層１４側の面、すなわち、粘着面を覆う剥離紙９ａ及び剥離紙９ｂを有している。前記剥離紙９ａは、後述する第１の粘着部５側を覆っており、前記剥離紙９ｂは、後述する第２の粘着部側を覆う状態に設けられている。なお、図２（ａ）において、説明の便宜上、前記熱可塑性繊維布１２を点描で示している。
前記救急絆創膏１は、手や足の指先の腹側に粘着する第１の粘着部５と、前記腹側から折り返されて前記第１の粘着部５と相対する状態で前記指先の背側に粘着する第２の粘着部７とを有し、前記第１の粘着部５と前記第２の粘着部７は、折り曲げ部６を中心に折り曲げることができる。すなわち、前記第１の粘着部５及び前記第２の粘着部７は、一体として形成されており、その境界部である前記折り曲げ部６を中心に折り返されて指先に粘着する。また、前記パッド３は、前記折り曲げ部６に跨設されており、前記救急絆創膏１は、前記折り曲げ部６と直交する方向における仮想中心線Ｂ−Ｂに対して対称な形状に形成されている。
前記第１の粘着部５は、外周が略円形状の曲線になっており、前記仮想中心線Ｂ−Ｂから前記折り曲げ部６と平行な両方向に向けて突出する第１の張出部５ａを有している。前記第１の張出部５ａの前記仮想中心線Ｂ−Ｂからの長さ、すなわち、最大半径は、Ｌ１になっている。
前記第２の粘着部７は、前記仮想中心線Ｂ−Ｂから前記折り曲げ部６と平行な両方向に向けて張り出して形成され、かつ、前記折り曲げ部６と直交する方向において離間配置された第２の張出部７ａ及び第３の張出部７ｂを有している。
第２の張出部を設けることにより、本願絆創膏を装着時に隙間Ｘを挟む第２の張出部と対応する第１の張出部の粘着剤面同士が互いに接着することにより液の浸入を、より完全に防止する。
第３の張出部７ｂの２ａに向かう側の外周は、本願絆創膏を装着時、第１の張出部５ａの外周とほぼ一定幅で重なり、液の浸入を防止する。
前記第２の張出部７ａは、前記折り曲げ部６を挟んで前記第１の粘着部５と隣接しており、前記仮想中心線Ｂ−Ｂから、それぞれ、長さＬ２ずつ張り出して形成され、前記折り曲げ部６に略平行な直線部１７ａを有し、先端部１７ｂの外周が曲線になっている。また、前記第３の張出部７ｂは、前記仮想中心線Ｂ−Ｂから、それぞれ、長さＬ３ずつ張り出して形成され、外周が略矩形形状になっている。即ち、２つの第３の張出部は、本願絆創膏を装着時に、互いの方向から両者で指を一周して両張出部の先端が互いに重なる長さでなければならない。これにより指の付け根方向からの液の浸入を防止することができる。
前記第１の粘着部５と前記第２の張出部７とにより前記救急絆創膏１の外部に形成される隙間Ｘは、前記第１の粘着部５の外周が曲線であり第１の張出部を有し、前記第２の張出部７が前記折り曲げ部６に略平行な前記直線部１７ａを有することから、鋭角状の狭いものになっている。
また、前記第１の張出部５ａ、前記第２の張出部７ａ及び前記第３の張出部７ｂの前記仮想中心軸Ｂ−Ｂからの長さＬ１乃至Ｌ３に関して、次式（１）
Ｌ３＞Ｌ２＞Ｌ１  ・・・（１）
が成り立っている。
すなわち、前記第１の張出部５ａ、前記第２の張出部７ａ及び前記第３の張出部７ｂの前記折り曲げ部６と平行な方向における長さは、前記第３の張出部７ｂが最大であり、次いで前記第２の張出部７ａ、前記第１の張出部５ａの順になっている。
次に、前記救急絆創膏１を構成する部材の素材について説明する。
前記熱可塑性繊維布１２は、通気性と伸縮性を有しているものが好ましく、熱可塑性エラストマーから形成された繊維からなる織布及び不織布を含む。前記熱可塑性エラストマーとしては、スチレン−イソプレン−スチレン型ブロック共重合体及びこれに水素添加した水添ブロック共重合体等のポリスチレン系エラストマー、ポリウレタン、ポリエステル、ポリエチレン等のポリオレフィン等があげられるが、特に限定されるものではなく、その他の原料も適宜選択可能である。また、織布及び不織布のいずれでも、適宜選択可能であるが、伸縮性等の物性の方向性が低い点で不織布が好ましい。
また、前記熱可塑性繊維布１２に不織布を使用する場合には、前記不織布は、伸縮率が１００％以上、５０％伸縮時の回復率が７０％以上が好ましい。また、目付は、ラミネートに使用するフィルムや不織布自体の性質及び粘着剤の性質によって適宜選択する必要があり、特に限定することはできないが、好ましくは２０〜２００ｇ／ｍ２、さらに好ましくは、３０〜１００ｇ／ｍ２である。また、前記不織布の厚さは、フィルムをラミネートして前記救急絆創膏１の基材とした場合に、十分な剛性が付与されていればよく、約２０〜１０００μｍ、好ましくは、５０〜５００μｍの範囲である。
前記フィルム２は、前記熱可塑性繊維布１２の通気性及び透湿性を大きく損なうことなく、前記救急絆創膏１に防水性を付与し、かつ、前記救急絆創膏１の適度の物性バランスを得るためのものであり、防水性を有するとともに、前記熱可塑性繊維布１２とラミネートしても、なお十分な透湿性を有する素材を選択する必要がある。すなわち、水蒸気は透過させ、かつ、液状の水の透過を防止することができることが必要であり、ポリウレタン、ポリ塩化ビニル、ポリ塩化ビニリデン、ポリエチレン、ポリプロピレン等のポリオレフィン、ポリエステル、ポリアミド等が素材として使用可能である。この中では、高い透湿性と適度の柔軟性を有する点から、ポリウレタン系フィルム、ポリエステル系フィルム等が特に好ましい。
前記ポリエステル系フィルムとしては、デュポン社製のハイトレル（商標）、日合フィルム社製のフレクロン（商標）等をあげることができる。また、前記フィルム２は、十分な防水性を必要とするため、押出成形、ブロー成形等によって成形されたフィルムが好ましく、延伸フィルムも使用することができ、異なる素材のフィルムをラミネートした多層フィルムも使用可能である。
また、前記フィルム２は、素材が有する透湿度が低ければ、より薄く形成して透湿性を確保する必要があり、逆に、透湿度が高ければより厚く形成することができる。前記フィルム２の厚さは、前記熱可塑性繊維布１２にラミネートしたときに適度の剛性を有している必要があることから、一般には、５０μｍ以下が好ましく、２〜３０μｍが特に好ましく、さらに、５〜１５μｍであることがより好ましい。
前記粘着剤層１４を形成する粘着剤は、皮膚に対する刺激が少なく、かつ、皮膚に対する感圧粘着性を有するものであれば特に限定されず、ゴム系粘着剤、アクリル系粘着剤、ポリウレタン系粘着剤、シリコン系粘着剤や、Ａ−Ｂ−Ａ型ブロック共重合体系粘着剤、例えば、スチレン−イソプレン−スチレン型ブロック共重合体系粘着剤等を使用することができる。
前記粘着剤層１４の厚さは、２５〜１５０μｍ、好ましくは、３０〜６０μｍであり、前記粘着剤を前記フィルム２及び前記熱可塑性繊維布１２からなる前記基材の全面に塗布して前記粘着剤層１４を形成する、いわゆるフラットコーティングにすることもできるが、透湿性の低下を防止するために、多孔性の粘着剤を塗布するか、または、前記粘着剤を全面に塗布せずに、パターン・コーティングすることが好ましい。
前記粘着剤を多孔性にする方法としては、例えば、通気剤として高吸収性ポリマーを使用し、十分吸水させた後、前記粘着剤の溶液中に分散させ、コーティングした後に水分を蒸発させることにより多孔性にする方法などがある。また、前記パターン・コーティングは、前記粘着剤をコーティングするときに、例えば、スクリーンコーティング法、または、グラビアコーティング法を採用することにより、実施することができる。また、前記粘着剤を前記基材に塗布する方法としては、前記基材に直接塗布する方法や、前記粘着剤を剥離紙に塗布した後、前記基材に転写する方法等の公知の各種方法が採用可能である。
本実施例では、前記フィルム２及び前記熱可塑性繊維布１２は、周縁部から一定幅、この場合、約１．５ｍｍが全周にわたってヒートシールされた状態でラミネートされている。前記熱可塑性繊維布１２に前記フィルム２をラミネートする方法は、特に限定されないが、熱融着による方法、接着剤を使用して接着する方法などを使用することができる。前記ラミネートは、前記基材に前記粘着剤層１４を形成する前に行っても、前記粘着剤層１４を形成した後に行ってもよい。
前記フィルム２及び前記熱可塑性繊維布１２の周縁部近傍をヒートシールして形成されるヒートシール部２ａは、前記フィルム２の周縁部から一定の幅、この場合、約１．５ｍｍの幅で全周にわたって形成されている。前記ヒートシール部２ａの幅に特に制限はないが、好ましくは、０．５〜４ｍｍであり、特に好ましくは、１〜２ｍｍである。
前記ヒートシールは、一定温度に保った平面の型で型押しする方法や、ロールで挟圧する方法などにより実施することができるが、特に限定されない。また、前記ヒートシールは、シール面全面をヒートシールする、いわゆる、フラットシールにより実施してもよいが、非シール部を残してシール面と非シール面とが例えば、海島状に分布する、いわゆる、パターンシールにより実施してもよい。パターンシールすると、シール部よりも非シール部の通気性、透湿性が高いために、前記ヒートシール部２ａに対して、より高い通気性、透湿性を付与することができる。
前記ヒートシール部２ａにより、前記熱可塑性繊維布１２に前記フィルム２をラミネートして構成される前記基材の周縁端部が密封され、外部と前記パッド３を完全に遮断することができる。すなわち、前記救急絆創膏１は、外部からの水等の浸入を防止することができるものになっている。
また、前記フィルム２に、前記熱可塑性繊維布１２より高い融点を有する素材を使用するとともに、前記ヒートシールの温度を前記フィルム２の融点より低く、かつ、前記熱可塑性繊維布１２の融点よりも高い温度に設定すれば、前記基材のうち前記熱可塑性繊維布１２のみを溶融圧着することができ、前記基材の切り出しと同工程で前記ヒートシール部２ａを形成することができる。この場合、前記フィルム２と前記熱可塑性繊維布１２は、同じ大きさに形成されることになり、前記熱可塑性繊維布１２と前記フィルム２との位置合わせ等を省略することができる。例えば、前記フィルム２にポリウレタン（融点約１６０〜２００℃）やポリエステル（融点約１７０〜２１０℃）を使用し、前記熱可塑性繊維布１２に水添スチレン−イソプレン−スチレンブロック共重合体（融点約１２０℃）を使用する組み合わせは、この条件を満たしており、前記フィルム２の融点付近の温度でヒートシールすれば、前記熱可塑性繊維布１２のみを溶融圧着することができる。
次に、前記救急絆創膏１を手や足の指先に貼付する方法について、図４及び図５を参照して説明する。
図４（ａ）乃至（ｃ）及び図５（ａ）乃至（ｃ）は、本発明の救急絆創膏１を手の指先に貼付する方法を示す図であり、図４は、指先の背側から見た平面図、図５は、指先の腹側から見た平面図である。なお、図４及び図５において、説明の便宜上、前記熱可塑性繊維布１２を点描で示している。
▲１▼図４（ａ）及び図５（ａ）に示すように、まず、前記剥離紙９ａ（図２（ｂ）参照）を剥がし、前記第１の粘着部５を指先の腹側に粘着するとともに、前記第１の張出部５ａを前記腹側から折り返して、指先の側部に粘着する。このとき、指先が前記パッド３の中央に位置する状態で貼付することが好ましい。
▲２▼図４（ｂ）及び図５（ｂ）に示すように、前記剥離紙９ｂを剥がし、前記第２の粘着部７を前記折り曲げ部６において前記腹側から折り返して、前記第１の粘着部５と相対する状態で指先の背側に粘着する。
▲３▼図４（ｃ）及び図５（ｃ）に示すように、指先の側方、すなわち、前記折り曲げ部６と平行な両方向に突出した状態の前記第２の張出部７ａの粘着面端部と、対向する第１の粘着部の粘着面端部とを接着し、それぞれ、前記背側から前記腹側に向けて折り返して指先に捲回する。このとき、前記第２の張出部７ａを軽く引っ張りながら指先に捲回して貼付することが好ましい。
▲４▼▲３▼と同様に、指先の側方、すなわち、前記折り曲げ部６と平行な両方向に突出した状態の前記第３の張出部７ｂを前記背側から前記腹側に向けて折り返す。そして、第３の張出部７ｂの２ａ側の外周は、第１の張出部５ａの外周とほぼ一定幅で重なり合うようにする。このとき、前記第３の張出部７ｂを軽く引っ張りながら指先に捲回して貼付することが好ましい。
上記▲１▼乃至▲４▼により、前記救急絆創膏１が手や足の指先に貼付される。このとき、外周が曲線である前記第１の粘着部５と、前記折り曲げ部６に略平行な前記直線部１７ａを有する前記第２の粘着部７とにより前記救急絆創膏１の外部に形成される間隔Ｘは小さく、前記救急絆創膏１は、指先に貼付しても前記折り曲げ部６の端部６ａの近傍に隙間が生じにくいものになっている。すなわち、前記救急絆創膏１は、指先を前記第１の粘着部５及び前記第２の粘着部７によって挟み込んで外部から封止した状態になっており、水やバクテリア等の浸入を防止することができるものになっている。
また、前記救急絆創膏１は、前記第１の粘着部５及び前記第２の粘着部７が指先に対して大型に形成され、かつ、前記第３の張出部７ｂ、前記第２の張出部７ａ、前記第１の張出部５ａの順に前記折り曲げ部６と平行な方向における長さが大きく形成されていることから、曲面である指先の形状に適合しやすく、指先を確実に内包することができる。
また、前記救急絆創膏１は、前記パッド３が前記折り曲げ部６に跨設されていることから、前記第１の粘着部５及び前記第２の粘着部７によって挟み込まれた状態になっている指先の患部に前記パッド３が確実に着接することができるものになっている。
なお、本実施例では、前記パッド３を有する前記救急絆創膏１について説明したが、パッドを備えていない絆創膏にも適用可能である。また、前記救急絆創膏１を構成する前記基材の素材や製法は、種々のものが適用可能であり、本実施例に限定されるものではない。
また、本発明の絆創膏の形状は、本実施例に限定されるものではなく、例えば、図６（ａ）乃至（ｆ）に示す形状であってもよい。図６（ａ）乃至（ｆ）において、第１の粘着部及び第２の粘着部の境界部である折り曲げ部を二点鎖線で示している。なお、図６（ｅ）及び（ｆ）は、第１の粘着部側に第１の張出部からさらに突出する突出部を設けたものである。さらに、本発明の絆創膏は、本発明の基本構成を備えた絆創膏であればその他の種々の形状を採用することが可能である。
本発明のさらなる態様を以下に示す。
９．基材が熱可塑性繊維布と熱可塑性フィルムからなる前記請求項１から８までのいずれか一項に記載の絆創膏。１０．熱可塑性繊維布がからなる前記１０に記載の絆創膏。１１．熱可塑性繊維布がスチレン−イソプレン−スチレン型ブロック共重合体からなる前記１０に記載の絆創膏。１２，熱可塑性フィルムがポリウレタンフィルムからなる前記９から１１までのいずれか１に記載の絆創膏。１３．粘着剤が多孔性である前記請求項１から１２までのいずれか１に記載の絆創膏。１４．基材の全周がシールされている前記９から１３までのいずれか１に記載の絆創膏。
産業上の利用可能性
以上説明したように、本発明の絆創膏によれば、手や足の指先の患部を確実に内包することが可能であり、パッドを有する救急絆創膏に適用してもパッドと患部との着接状態が低下したり、貼付する際に隙間が生じて水やバクテリア等が浸入することを防止することができる。
【図面の簡単な説明】
図１は、本発明の救急絆創膏１を示す平面図である。図２の（ａ）は、本発明の救急絆創膏１の粘着面側を示す平面図であり、（ｂ）は、（ａ）において、粘着面を剥離紙が覆った状態を示す平面図である。図３は、図１におけるＡ−Ａ断面を模式的に示す図である。図４の（ａ）乃至（ｃ）は、本発明の救急絆創膏１を手の指先に貼付する方法を示す図であり、指先の背側から見た平面図である。図５の（ａ）乃至（ｃ）は、本発明の救急絆創膏１を手の指先に貼付する方法を示す図であり、指先の腹側から見た平面図である。図６の（ａ）乃至（ｆ）は、本発明による絆創膏の形状の他の実施例を示す平面図である。図７は、指先に使用する従来の救急絆創膏１２０を示す平面図である。図８の（ａ）乃至（ｃ）は、従来の救急絆創膏１２０を手の指先に貼付する方法を示す図であり、指先の背側から見た平面図である。図９の（ａ）乃至（ｃ）は、従来の救急絆創膏１２０を手の指先に貼付する方法を示す図であり、指先の腹側から見た平面図である。図１０は、従来の救急絆創膏１３０を示す平面図である。図１１の（ａ）乃至（ｃ）は、従来の救急絆創膏１３０を手の指先に貼付する方法を示す図であり、指先の背側から見た平面図である。なお、図中の符号の１は救急絆創膏、２はフィルム（基材）、２ａはヒートシール部、３はパッド、５は第１の粘着部、５ａは第１の張出部、６は折り曲げ部、６は端部、７は第２の粘着部、７ａは第２の張出部、７ｂは第３の張出部、９ａ、９ｂは剥離紙、１４は粘着剤層、１７ａは直線部（第２張出部）、１７ｂは先端部（第２張出部）を表示する。
【図１】
0004514956.tif 000002
【図２】
0004514956.tif 000003
【図３】
0004514956.tif 000004
【図４】
0004514956.tif 000005
【図５】
0004514956.tif 000006
【図６】
0004514956.tif 000007
【図７】
0004514956.tif 000008
【図８】
0004514956.tif 000009
【図９】
0004514956.tif 000010
【図１０】
0004514956.tif 000011
【図１１】
0004514956.tif 000012